(57)【特許請求の範囲】
【請求項１】
受信人のリストを格納し、かつ被選択受信人の各々に対し、対応付けられるグループのカスタマイズされたメッセージを格納するメモリ；
前記メッセージを表示するディスプレイ；
前記メッセージを送信する送信機；
着信メッセージを受信し復号する処理装置を含む手段であって、前記処理装置が前記送信機，前記ディスプレイ，および前記メモリに結合され、被選択受信人の１人に対応付けられるグループ内のカスタマイズされたメッセージの少なくとも一部を前記ディスプレイに表示させるように構成された前記手段；および
前記ディスプレイに表示されたカスタマイズされたメッセージの１つを選択するために前記処理装置に結合されたユーザ制御機構であって、前記処理装置が前記ユーザ制御機構に応答して、前記送信機に選択されたメッセージを１人の選択された受信人へ送信させるように構成された前記ユーザ制御機構；
によって構成されることを特徴とする選択呼出トランシーバ。
【請求項２】
前記処理装置が、受信したメッセージが被選択受信人である送信者からのものであるかどうかを決定し、送信者が被選択受信人である場合には、前記送信者に対応付けられるグループ内のカスタマイズされたメッセージの少なくとも一部を前記ディスプレイに表示させるように、プログラムされることを特徴とする請求項１記載の選択呼出トランシーバ。
【請求項３】
前記メモリがデフォルト・メッセージ・リストをも格納し、送信者が被選択受信人でない場合には、前記処理装置が前記ディスプレイに前記デフォルト・メッセージ・リストを表示させることを特徴とする請求項２記載の選択呼出トランシーバ。
【請求項４】
前記処理装置が前記ユーザ制御機構に応答して、前記送信機に前記デフォルト・リストから選択されたメッセージを送信させることを特徴とする請求項３記載の選択呼出トランシーバ。
【請求項５】
受信したメッセージに応答用の複数の選択肢が含まれる場合、前記処理装置が前記ディスプレイにカスタマイズされたメッセージを表示させる前に前記複数の選択肢を表示させることを特徴とする請求項２記載の選択呼出トランシーバ。
【請求項６】
前記メモリがデフォルト・メッセージ・リストをも格納しており、受信したメッセージに応答用の複数の選択肢を含まれる場合には、前記処理装置が前記ディスプレイに前記複数の選択肢およびカスタマイズされたメッセージを表示させた後でデフォルト・リストからのメッセージを表示させることを特徴とする請求項５記載の選択呼出トランシーバ。
【請求項７】
前記メモリがデフォルト・メッセージ・リストをも格納しており、受信人がカスタマイズされたメッセージのグループに対応付けられない場合には、前記処理装置が、ディスプレイに前記デフォルト・メッセージ・リストを表示させるようにプログラムされることを特徴とする請求項１記載の選択呼出トランシーバ。
【発明の詳細な説明】
発明の分野
本発明は、一般にＲＦ（無線周波数）通信に関し、特に、双方向ＲＦメッセージ通信システムに有用な選択呼出トランシーバに関する。
発明の背景
典型的な双方向メッセージ通信システムは、１つ以上の基地局送信機および受信機を使用して、携帯選択呼出トランシーバと通信する。特定の選択呼出トランシーバ用のメッセージは通常、公衆電話網を介して自分のメッセージを通信システムへ呼び出す送信者から発信される。次にシステムはこのメッセージを、意図された選択呼出トランシーバへ送信する。
考慮される種類の従来の選択呼出トランシーバは、選択呼出トランシーバが定期的に通信する可能性の高い受信人のリストを格納できるメモリを有する。メモリはまた多数のいわゆる「缶詰め」メッセージ（                    をも格納することができ、送信者から受信したメッセージに応答するユーザは、その中からどれでも１つを選択することができる。
この典型的構成は作動可能であるが、これは、選択呼出トランシーバのユーザが通常通信する特定の個人または組織との通信用にカスタマイズされる場合とは対照的に、「缶詰め」メッセージが一般的になりがちであるという欠点がある。この欠点は、「缶詰め」メッセージのリスト内に、特定の個人または組織との通信用に特別に構成された、すなわちカスタマイズされた、特定のメッセージを含めることによって、解決することができる。しかし、通信できる受信人のリストが比較的長い最近の選択呼出トランシーバでは、カスタマイズされたメッセージを含む「缶詰め」メッセージのリストが長くなることがあり、したがって、ユーザが所望のメッセージをつき止めることは不便であり、かつ時間がかかる。選択呼出トランシーバが２、３行のテキストしか表示できない小さいディスプレイを有する場合、「缶詰め」メッセージの長いリストをスクロールすることは、特に不便である。カスタマイズされたメッセージをより簡便に使用できるように格納できる選択呼出トランシーバが望ましいことは、明らかである。
【図面の簡単な説明】
第１図は、本発明に従って構成された選択呼出トランシーバのブロック図である。
第２図は、第１図の選択呼出トランシーバのメモリに格納された受信人リストを示す。
第３図は、第１図の選択呼出トランシーバのメモリに格納された幾つかのメッセージ・リストを示す。
第４図および第５図は、選択呼出トランシーバの処理装置が本発明に従って作動するために、どのようにプログラムされるかを示す流れ図である。
好適な実施例の説明
第１図を参照すると、本発明に従って作動するようにプログラムされた選択呼出トランシーバ（本明細書では時々略してＳＣＴという）１０が示される。図示されたＳＣＴは双方向ページャの形で示されるが、本発明は他の形のＳＣＴとして実現することができる。
送信者から発信され、ＳＣＴへ伝送されたメッセージは、アンテナ１２，従来のＲＦ復調器１４，従来のディジタル復号器１６，および処理装置１８によって受信され、復号される。処理装置１８は、ＳＣＴの復号プロセスおよびその他の機能を制御するＣＰＵ（中央処理装置）２０を含む。
復号器１６から出力された信号は復号されたディジタル・データの形をしており、例えばモトローラ社製のＭＣ６８ＨＣ０５型とすることのできる処理装置２０への入力として供給される。他の適切な処理装置も使用できる。さらに、全てのハードウェア構成部品および処理装置の符号化／復号の論理は、従来通りとすることができる。ＳＣＴを本発明に従って作動させるのは、処理装置２０の我々のプログラミング（後述）および「缶詰め」メッセージの独特の格納である。
処理装置１８は、ＣＰＵ用の命令プログラムを格納するＲＯＭ（読出し専用メモリ）２２を含む。処理装置はまた、ＣＰＵ２０からの信号をディスプレイ・ドライバ２６に結合するための外部ポート・インタフェース２６をも含む。後者の装置（ディスプレイ・ドライバ）は、復号されたメッセージ，メニュー，およびそれらに類するものを表示するためにディスプレイ２８を駆動する。ディスプレイは、従来の液晶ディスプレイとすることができる。
メッセージの受信後、ユーザ警告を発生するために、ＣＰＵは警告発生器３０に結合され、その出力はスピーカ・ドライバ３２の入力に結合される。スピーカ３４は、ＳＣＴ１０に向けられたメッセージの受信後に可聴警告を発生するために、ドライバ３２の出力に結合される。
タイマ３６はＣＰＵ２０に結合され、正確な間隔でディジタル復号器１６からデータを収集するための時間基準を提供する。タイマはまた、警告の持続時間およびおそらくユーザ・インタフェースの実時間クロックをも維持する。
ユーザにページャの様々な機能を制御させるために、ユーザ制御機構が含まれる。図示した実施例では、ユーザ制御機構は、読出し３８、選択４０、次４２、前４４、応答４６、および始動４８と名付けられた、ユーザ起動可能なボタンの形を取る。これらのボタンは全て、ボタン・インタフェース５０および外部ポート・インタフェース５２を介してＣＰＵに結合される。ボタンは、読出しボタン３８を使用して受信したメッセージをディスプレイ２８に表示させ、ボタン４２，４４を使用してメッセージをスクロールさせ、応答ボタン４６を使用して受信したメッセージに応答させ、選択ボタン４０を使用して応答メッセージを選択させ、始動ボタン４８を使用してメッセージの送信を開始させるために、使用することができる。同じ機能は、設計者の好みによって、別のボタンおよび／または別のボタンの組合せを使用して実現できることを理解されたい。同様に、ボタンの一部または全部を、ディスプレイ４８上に表示できるアイコンに書き換えることができる。そうしたアイコンは、選択ボタンまたはそれと同様のものの起動によって選択することができる。
ＳＣＴ１０が送信モードで使用できるようにするために、送信機４９がＣＰＵ２０に結合され、送信機はアンテナ５１を有する。
処理装置１８はまた、次の格納要素：すなわちメッセージ・メモリ５６，プログラム・メモリ５８，アドレス・ブック６０，およびメッセージ・リスト６２から成る不揮発性メモリ５４をも含む。メッセージ・メモリ５６は、ＳＣＴ１０によって受信されたメッセージを格納する。プログラム・メモリ５８は、新しいメッセージの（メッセージ・メモリ５６に格納される前の）一時的格納，およびＣＰＵ２０によって行なわれた計算結果の格納のためのスクラッチ・パッド・メモリとして作動する。
アドレス・ブック６０およびメッセージ・リスト６２は、プロセッサの適切なプログラミングと協力して、本発明に従ってＳＣＴ１０を操作するために重要な情報を含む。
本発明の重要な特徴は、ＳＣＴが、カスタマイズされた「缶詰め」メッセージのリストを格納することであり、そうしたリストは各々、特定の受信人用にカスタマイズされ、対応付けられる。これによりユーザは、受信したメッセージに応答するとき，および受信人へのメッセージの送信を開始するときに、カスタマイズされた応答の比較的短いリストから選択することができ、好都合である。これを次に、第１，２，３図を参照しながら、さらに詳しく説明する。
第１図を参照すると、メモリ５４は、アドレス・ブック６０に受信人のリストを格納する。メモリ５４はまた、選択される受信人の各々に対し、対応付けられるグループのカスタマイズされたメッセージをメッセージ・リスト６２に格納する。
次に第２図を参照すると、受信人リスト６４は、ＳＣＴ１０のユーザがある程度定期的に通信することが予期される個人，組織，および／または物（スプリンクラ・システム，自動販売機など）（受信人）のリストを含む。この受信人リスト６４は、アドレス・ブック６０（第１図）に格納される。
受信人リスト６４で選択される受信人の各々に対し、メッセージ・リスト６２は、対応付けられるカスタマイズされたメッセージのグループまたはリストを格納する。これらのメッセージグループは、第３図で６６，６８，７０として識別される。例えば、メッセージ・グループ６６は、運送代理店（第２図の受信人Ａ）に対応付けられる多数のメッセージを含む運送代理店のリストである。言い換えると、メッセージ・リスト６６は、ＳＣＴ１０のユーザが、運送代理店と通信するときに通常使用すると予想される種類の予め格納された、すなわち「缶詰め」されたメッセージを含む。
メッセージ・リスト６８を参照すると、これは、同僚（図２の受信人Ｂ）との通信に対応付けられる多数のメッセージを含む同僚のメッセージ・リストである。同様に、第２図の受信人Ｃ，Ｄもまた、対応付けられるメッセージ・リスト７０，７２を有する。
受信人リスト６４の全ての受信人が対応付けられるメッセージ・リストを持つ必要はない。例えば、第２図の受信人Ｅ（子供）には、対応付けられるメッセージ・リストが無い。要点は、受信人リスト６４の受信人の一部または全部が、ＳＣＴ１０で利用可能なメモリの量およびユーザの好みによって、対応付けられるメッセージ・リストを持つということである。
デフォルト・メッセージ・リスト７４が含まれることに気付かれるであろう。このリストも第１図のメッセージ・リスト６２に格納されるが、これについては後述する。
処理装置１８を送信機４９，ディスプレイ２８，およびメモリ５４に結合した状態で、処理装置は、ＳＣＴのユーザがメッセージを送信したいと思う選択された受信人（例えば運送代理店）に対応付けられるメッセージのリストまたはグループ（例えば運送代理店のメッセージのリスト６６）内のカスタマイズされたメッセージの少なくとも一部をディスプレイに適時に表示させるように、受信人リスト６４およびメッセージ・リスト６６〜７２を使用するようにプログラムされる。ユーザ制御機構（ボタン４０など）は、ディスプレイ２８によって表示されるカスタマイズされたメッセージの１つを選択するために、処理装置１８に結合される。処理装置はユーザ制御機構に応答して、送信機４９に選択されたメッセージを選択された１受信人（例えば運用代理店（DISPATCHER））へ送信させる。
ＳＣＴ１０は、今述べた通り２つのモードで動作することができる。１つのモードすなわち「応答」モード時に、ユーザは受信したメッセージに応答することを希望する。処理装置は、受信したメッセージが、被選択受信人，すなわち対応付けられるカスタマイズされたメッセージのリストが存在するリスト６４内の受信人である送信者からのものであるかどうかを決定するように、プログラムされる。（第２図において、受信人Ａ，Ｂ，Ｃ，Ｄは、これらの各々が対応付けられるカスタマイズされたメッセージのリストを持つので、被選択受信人である。アドレスＥ（子供）は、この受信人に対応付けられるカスタマイズされたメッセージのリストが無いので、被選択受信人ではない。）
受信されたメッセージの送信者が、被選択受信人であることが決定されると、処理装置のプログラミングは、送信者に対応付けられるメッセージのグループ内のカスタマイズされたメッセージの少なくとも一部を、ディスプレイ２８に表示させる。次にユーザは、表示されたメッセージの１つを選択することができ、処理装置１８は、送信機４９に選択されたメッセージを送信者へ送信させることによって、選択に応答する。
本発明に従って送信者のメッセージに応答する他の方法がある。次に、それについて、応答を選択させ送信させるために処理装置１８をどのようにプログラムするかを図解する流れ図を示す第４図を参照しながら、説明する。
流れ図は、ＳＣＴ１０が送信者からの着信メッセージを受信する段階６８から始まる。一般的に、ＳＣＴ１０は次に、メッセージを受信したことをユーザに警告し、ユーザは読出しボタン３８（第１図）を起動して、受信したメッセージをディスプレイ２８に表示させることができる。次の段階７２で、ユーザは、応答ボタン４６（第１図）を起動することによって、受信したメッセージへの応答を開始することができる。この時点で、段階７４において、受信したメッセージに複数選択応答（ＭＣＲ）が添付されているかどうかが質問される。例えば、受信したメッセージに付随する複数選択応答は、ＳＣＴのユーザに、ユーザが朝（選択１），午後（選択２），または夕方（選択３）に送信者と会うことを希望するかどうかを指示するように要求する。受信したメッセージにそうした複数選択応答が添付される場合、プログラムは段階７６に進み、処理装置１８はディスプレイ２８に複数選択応答を表示させる。
次の段階７８で、処理装置は、応答を選択するための「缶詰め」メッセージのリストをさらに表示する選択肢をユーザが事前に選択したかどうか決定する（この選択肢は、ＳＣＴの初期セットアップ時に選択または選択解除される）。ユーザがリストをさらに表示する選択肢を選択しなかった場合、ユーザは複数選択応答の１つを選択することによって応答することを希望すると想定される。したがって、段階７８の問合せに対する答えは「NO」となり、プログラムはノード２を介して次の段階８０に進む。次にユーザは、選択ボタン４０を使用して、複数選択応答の中から送信するための１つを選択し、次の段階８２で、処理装置は、選択された応答を送信機４９に送信させる。
段階７８に戻って、ユーザがリストをさらに表示する選択肢を事前に選択した場合、プログラムは段階７８からノード１を介して段階８４に進む。この段階で、処理装置は、提案された応答の受信人が（すなわち、この場合は送信者）がアドレス・ブック６０（第１図）に含まれるかどうかを決定する。答えが「YES」の場合、プログラムは段階８６へ進み、その受信人のメッセージ・リストを表示する。例えば、メッセージの送信者が、受信人リスト６４（第２図）で受信人Ａとして識別される運送代理店であった場合、段階８６の実行により、運送代理店のメッセージ・リスト６６（第３図）がディスプレイ２８に表示される。
次の段階８８では、送信者への応答として可能なメッセージのリストをさらに表示する選択肢をユーザが選択したかどうかが質問される。答えが「YES」の場合、これは、ユーザが運送代理店のメッセージ・リスト６６内のメッセージの１つを使用することを希望しないことを示し、プログラムは段階９０に進み、デフォルト・メッセージ・リストが表示される。第３図に示すデフォルト・メッセージ・リスト７４は、特定の送信者への応答として必ずしもカスタマイズされないメッセージまたは応答のリストである。それどころか、これらは、様々な種類の送信者への応答として適切となり得る「一般的」メッセージと考えることができる。
第４図に戻って、プログラムは段階９０から段階８０へ進み、これによりユーザは、この場合、デフォルト・メッセージ・リスト７４から応答のためのメッセージを１つ選択する。処理装置は次に、選択されたメッセージを、段階８２により送信させる。
段階８８に戻って、リストをさらに表示する選択肢をユーザが選択しない場合、プログラムは段階８８から段階８０へ進み、ユーザは、運送代理店のメッセージ・リスト６６から１つのメッセージを選択することができる。次にプログラムは段階８２へ進み、その選択されたメッセージを送信する。
段階７３へ戻る。受信したメッセージに複数選択応答が添付されない場合、プログラムは段階８４へ進み、提案された応答の受信人がアドレス・ブック６０内にあるかどうかを決定する。その後、プログラムは上述の通り段階８２まで進み、受信人のメッセージ・リストから，またはデフォルト・メッセージ・リスト７４から選択された応答を送信する。
ＳＣＴ１０が作動する第２モードは、ＳＣＴのユーザが、受信したメッセージへの応答とは対照的に、受信人へのメッセージの送信を開始する「始動」モードである。「始動」モードで動作するために、処理装置１８をどのようにプログラムするかを、次に、第５図を参照しながら説明する。
第１段階９２のメッセージ始動機能の選択は、ユーザが始動ボタン４８（第１図）を起動することを含む。これにより、選択された缶詰めメッセージを特定の受信人へ送信するプロセスが開始される。次の段階９４で、処理装置は、ディスプレイ２８に受信人リスト６４（第２図）を表示させる。次に、ユーザは選択ボタンを使用して、メッセージの送信先となる受信人を選択する。
次の段階９６で、処理装置は、選択された受信人にメッセージ・リストがあるか否かを決定する。前述の通り、受信人リスト６４の受信人Ａ〜Ｄにはメッセージ・リストがあるが、受信人Ｅには無い。選択された受信人が運送代理店であると仮定すると、段階９６の答えは「YES」であり、これによりプログラムは段階１０４へ進み、受信人の（運送代理店の）メッセージ・リスト、この場合はメッセージ・リスト６６を表示する。
次の段階１０６で、ユーザがＳＣＴにリストをさらに表示させたいかどうかが質問される。ユーザが「NO」を選択した場合、これは、ユーザが、段階１０４で表示されたメッセージ・リストからメッセージを選択することを希望することを示す。次の段階１００で、ユーザは選択ボタン４０を使用して、ユーザが選択したいと思うメッセージを選択する。次の段階１０２で、処理装置は、ユーザによって選択されたメッセージを送信機４９に送信させる。
段階１０６の実行後に、ユーザが、段階１０４で表示されるメッセージ・リストから１つを送信する場合とは対照的に、送信可能なメッセージの追加リストを見たいと思う場合には、ユーザは「YES」を選択する。これにより、プログラムはノード１を介して段階９８へ進み、デフォルト・メッセージ・リスト７４が表示される。次の段階１００で、ユーザはデフォルト・リスト７４からメッセージを選択し、段階１０２で送信機はそれを送信する。
段階９６に戻って、段階９４で選択された受信人に対応付けられるメッセージ・リストが無い場合には、プログラムは段階９８に進み、デフォルト・メッセージ・リスト７４（第３図）を表示する。次に、前述の通り、段階１００，１０２が実行され、デフォルト・メッセージ・リストからのメッセージが送信される。
上記説明から、本発明が、カスタマイズされたメッセージをある程度定期的に通信する相手に送信する、より素早く、より簡便な方法を提供することは明瞭であろう。受信したメッセージへ応答するため，または新しい通信を始動するための適切なメッセージを探すために、長いメッセージ・リストをスクロールする面倒な操作は不要である。
【図１】
0003762793.tif 000002
【図２】
0003762793.tif 000003
【図３】
0003762793.tif 000004
【図４】
0003762793.tif 000005
【図５】
0003762793.tif 000006